(57)【要約】【課題】画質を低下させることなく表示パネルの俯仰方向の傾きを補正することが可能な表示装置を提供する。【解決手段】表示パネルの背面とスタンドの取付面との間に、表示パネルの上下方向（ｙ方向）において異なる位置に第１接触部４１および第２接触部４２を設ける。第１接触部４１および第２接触部４２は、表示パネルの背面すなわち背面カバーの外側の面に設けられた凸部である。第１接触部４１および第２接触部４２の高さを適切に調整することにより、第１接触部４１および第２接触部４２と表示パネルの背面との境界面（接触面）の傾きが変化し、表示パネルの俯仰方向の傾きが所望の値に補正ないし矯正される。【選択図】図５
2012168256.tif 000002
【特許請求の範囲】
【請求項１】
表示パネルと、
前記表示パネルの取付対象と、
前記表示パネルの背面と前記取付対象の取付面との間に、前記表示パネルの上下方向において異なる位置に設けられた第１接触部および第２接触部と
を備え、
前記第１接触部および前記第２接触部は、前記表示パネルの背面自体あるいは前記表示パネルの背面に設けられた凸部、または前記取付対象の取付面自体あるいは前記取付対象の取付面に設けられた凸部である
表示装置。
【請求項２】
前記表示パネルの背面と前記取付対象との対向方向における前記第１接触部の高さは、固定されており、
前記表示パネルの背面と前記取付対象との対向方向における前記第２接触部の高さは、前記表示パネルの俯仰方向の傾きが所望の値になるよう調整されている
請求項１記載の表示装置。
【請求項３】
前記表示パネルは、パネル本体と、前記パネル本体の背面を覆う背面カバーとを有し、
前記第１接触部および前記第２接触部の少なくとも一方は、前記背面カバーに設けられている
請求項１記載の表示装置。
【請求項４】
前記第１接触部および前記第２接触部の両方が、前記背面カバーに設けられており、
前記第１接触部および前記第２接触部は、前記背面カバーの外側の面自体または前記背面カバーに設けられた凸部である
請求項３記載の表示装置。
【請求項５】
前記凸部は、前記表示パネルの背面を前記取付対象に固定するためのねじ孔の座面である
請求項４記載の表示装置。
【請求項６】
前記第１接触部および前記第２接触部の高さは、前記背面カバーの製造のための金型において前記第１接触部および前記第２接触部を形成するための凹部の深さにより調整されている
請求項４記載の表示装置。
【請求項７】
前記取付対象は、前記表示パネルを支持するスタンドであり、
前記第１接触部および前記第２接触部の少なくとも一方は、前記スタンドに設けられている
請求項１記載の表示装置。
【請求項８】
前記表示パネルは、パネル本体と、前記パネル本体の背面を覆う背面カバーとを有し、
前記第１接触部および前記第２接触部の一方は、前記背面カバーに設けられ、
前記第１接触部および前記第２接触部の他方は、前記スタンドに設けられている
請求項７記載の表示装置。
【請求項９】
前記取付対象は壁であり、
前記第１接触部および前記第２接触部の少なくとも一方は、前記壁に設けられている
請求項１記載の表示装置。
【請求項１０】
前記表示パネルは、パネル本体と、前記パネル本体の背面を覆う背面カバーとを有し、
前記第１接触部および前記第２接触部の一方は、前記背面カバーに設けられ、
前記第１接触部および前記第２接触部の他方は、前記壁に設けられている
請求項９記載の表示装置。
【請求項１１】
前記第１接触部および前記第２接触部の一方は一つ設けられ、他方は、前記一方の左側および右側に一つずつ設けられることにより、前記第１接触部および前記第２接触部が三角形に配置されている
請求項１記載の表示装置。
【発明の詳細な説明】
【技術分野】
【０００１】
本開示は薄型テレビジョン装置などの表示装置に関する。
【背景技術】
【０００２】
薄型テレビジョン装置などの表示装置の表示画面は、床や台などの設置面に対して垂直になっていることが望ましい。そのため、例えば、ねじを用いてスタンドとシャーシとの離間距離を調整し、表示画面の前方または後方への傾きを矯正することが提案されている（例えば、特許文献１参照。）。
【先行技術文献】
【特許文献】
【０００３】
【特許文献１】特開２０１０−１２８３４７号公報
【発明の概要】
【発明が解決しようとする課題】
【０００４】
しかしながら、このような従来構成では、ねじの先端で表示パネルを押すことによりスタンドとシャーシとの離間距離を調整するようにしていたので、画像にムラが生じるなど画質低下のおそれがあった。
【０００５】
本開示の目的は、画質を低下させることなく表示パネルの俯仰方向の傾きを補正することが可能な表示装置を提供することにある。
【課題を解決するための手段】
【０００６】
本開示による表示装置は、表示パネルと、表示パネルの取付対象と、表示パネルの背面と取付対象の取付面との間に、表示パネルの上下方向において異なる位置に設けられた第１接触部および第２接触部とを備え、第１接触部および第２接触部は、表示パネルの背面自体あるいは表示パネルの背面に設けられた凸部、または取付対象の取付面自体あるいは取付対象の取付面に設けられた凸部であるものである。
【０００７】
ここで、第１接触部および第２接触部が表示パネルの背面自体であるとは、第１接触部または第２接触部が表示パネルの背面と同一平面をなしていること（第１接触部または第２接触部の高さがゼロであること）をいう。第１接触部および第２接触部が取付対象の取付面自体であるとは、第１接触部または第２接触部が取付対象の取付面と同一平面をなしていること（第１接触部または第２接触部の高さがゼロであること）をいう。
【０００８】
本開示の表示装置では、表示パネルの背面と取付対象の取付面との間に、表示パネルの上下方向において異なる位置に、第１接触部および第２接触部が設けられている。第１接触部および第２接触部は、表示パネルの背面自体あるいは表示パネルの背面に設けられた凸部、または取付対象の取付面自体あるいは取付対象の取付面に設けられた凸部である。よって、第１接触部および第２接触部の高さを適切に調整することにより、第１接触部および第２接触部と表示パネルの背面との境界面（接触面）の傾きが変化し、表示パネルの俯仰方向の傾きが所望の値に補正される。
【発明の効果】
【０００９】
本開示の表示装置によれば、表示パネルの背面と取付対象の取付面との間に、表示パネルの上下方向において異なる位置に、第１接触部および第２接触部を設け、第１接触部および第２接触部は、表示パネルの背面自体あるいは表示パネルの背面に設けられた凸部、または取付対象の取付面自体あるいは取付対象の取付面に設けられた凸部であるようにしたので、従来のようにねじの押圧力による画像のムラなどの画質低下を生じさせることなく、表示パネルの俯仰方向の傾きを補正することが可能となる。
【図面の簡単な説明】
【００１０】
【図１】本開示の一実施の形態に係る表示装置の背面側から見た外観を表す斜視図である。
【図２】図１に示した表示パネルを分解して表す斜視図である。
【図３】図１に示したスタンドを取付面側から見た構成を表す斜視図である。
【図４】図２に示した背面カバーの構成を表す正面図である。
【図５】図３に示した第１接触部および第２接触部を表す斜視図である。
【図６】図５のＶＩ−ＶＩ線における断面図である。
【図７】表示パネルのスタンドへの取付方法を説明するための断面図である。
【図８】図７に続く工程を表す断面図である。
【図９】第１接触部および第２接触部を設けない場合を説明するための側面図である。
【図１０】第１接触部および第２接触部による、表示パネルの傾きの補正を説明するための側面図である。
【図１１】図６に示した第１接触部および第２接触部の変形例を表す断面図である。
【図１２】変形例１を表す正面図である。
【図１３】変形例２を表す正面図である。
【図１４】変形例３を表す正面図である。
【図１５】実施の形態における第１接触部および第２接触部の配置を概略的に表す側面図である。
【図１６】変形例４−１を表す側面図である。
【図１７】変形例４−２を表す側面図である。
【図１８】変形例４−３を表す側面図である。
【図１９】変形例５−１を表す側面図である。
【図２０】変形例５−２を表す側面図である。
【図２１】変形例５−３を表す側面図である。
【図２２】変形例５−４を表す側面図である。
【発明を実施するための形態】
【００１１】
以下、本開示の実施の形態について図面を参照して詳細に説明する。なお、説明は以下の順序で行う。
１．実施の形態（上方に一つの第１接触部、下方に二つの第２接触部を設ける例）
２．変形例１（上方に二つの第２接触部、下方に一つの第１接触部を設ける例）
３．変形例２（上方に一つの第１接触部、下方に一つの第２接触部を設ける例）
４．変形例３（上方に一つの第２接触部、下方に一つの第１接触部を設ける例）
５．変形例４−１〜４−３（取付対象がスタンドである場合の、第１接触部および第２接触部の配置の変形例）
６．変形例５−１〜５−４（取付対象が壁である場合の、第１接触部および第２接触部の配置の変形例）
【００１２】
図１は、本開示の一実施の形態に係る表示装置（テレビジョン装置）を背面側から見た外観を表したものである。この表示装置は、例えば、画像表示のための表示パネル１の背面１Ａを、スタンド２により支持した構成を有している。ここで、スタンド２は、本開示における「取付対象」の一具体例に対応している。以下の説明および図面では、表示パネル１の左右方向をｘ方向、表示パネル１の上下方向をｙ方向、表示パネル１の背面１Ａとスタンド２との対向方向（前後方向）をｚ方向とする。
【００１３】
表示パネル１は、例えば図２に示したように、ガラスまたは樹脂などの透明板１１の背面に、液晶セルおよびバックライトユニット（いずれも図示せず）よりなるパネル本体１２が設けられた液晶表示パネルである。パネル本体１２の側面は、アルミニウム（Ａｌ）等の枠状の外装部材１３により被覆されている。パネル本体１２の背面は、金属または樹脂よりなる背面カバー（リアカバー）１４で覆われている。この背面カバー１４の外側の面が、表示パネル１の背面１Ａに相当するものである。
【００１４】
スタンド２は、例えば図３に示したように、円筒状の支柱２Ａの下端に平板状の基礎２Ｂを有し、支柱２Ａの上端に結合部材２Ｃを有している。支柱２Ａには、表示パネル１を俯仰方向Ａｔに回転させるチルト動作、および表示パネル１を左右方向Ａｓに回転させるスイーベル動作を行わせるチルト・スイーベル機構（図示せず）が組み込まれている。結合部材２Ｃは、支柱２Ａの上端に取り付けられ、表示パネル１の背面１Ａ、すなわち背面カバー１４の外側の面をスタンド２に固定するためのブラケットである。結合部材２Ｃの取付面２０には、表示パネル１の背面１Ａの固定のためのねじ孔２１，２２が設けられている。ねじ孔２２の上方には、後述するプーリー５３を用いて表示パネル１を掛止するための切欠２３が設けられている。
【００１５】
ねじ孔２１，２２は三角形に配置されていることが好ましい。少ないねじ数で安定した確実な固定が可能となるからである。例えば、ねじ孔２１は取付面２０の上方中央、ねじ孔２２は取付面２０の下方左および下方右に設けられている。
【００１６】
図４は、図２に示した背面カバー１４を、外側の面から見た構成を表したものである。背面カバー１４の中央下方には、スタンド２の結合部材２Ｃが取り付けられる取付領域３０が設けられている。つまり、取付領域３０は、背面カバー１４とスタンド２の結合部材２Ｃとが重なり合う（オーバーラップする）領域である。
【００１７】
取付領域３０には、表示パネル１の背面１Ａをスタンド２の結合部材２Ｃに固定するための第１ねじ孔３１および第２ねじ孔３２が設けられている。第２ねじ孔３２の上方には、表示パネル１をスタンド２に掛止するためのプーリー５３（図７参照。）を取り付けるための第３ねじ孔３３が設けられている。第２ねじ孔３２の斜め上方には、背面カバー１４をパネル本体１２に固定するための第４ねじ孔３４が設けられている。
【００１８】
第１ねじ孔３１および第２ねじ孔３２は、結合部材２Ｃのねじ孔２１，２２に対応して三角形に配置されていることが好ましい。少ないねじ数で安定した確実な固定が可能となるからである。例えば、第１ねじ孔３１は取付領域３０の上方中央、第２ねじ孔３２は取付領域３０の下方左および下方右に設けられている。
【００１９】
更に、取付領域３０には、表示パネル１の上下方向（ｙ方向）において異なる位置に、第１接触部４１および第２接触部４２が設けられている。第１接触部４１および第２接触部４２は、表示パネル１の背面１Ａとスタンド２の結合部材２Ｃの取付面２０との接点となるものであり、図５および図６に示したように、表示パネル１の背面１Ａ（すなわち背面カバー１４の外側の面）に設けられた凸部である。これにより、この表示装置では、画質を低下させることなく表示パネル１の俯仰方向の傾きを補正することが可能となっている。
【００２０】
すなわち、表示パネル１は、スタンド２に取り付けた状態で、スタンド２の設置面（水平面）に対して垂直（鉛直）な直立姿勢になるよう設計される。しかしながら、開発の進行につれて表示パネル１の重量が増えたり重心がずれたりして、表示パネル１をスタンド２に取り付けた状態で、表示パネル１が鉛直方向から前方または後方に傾いてしまう場合があった。第１接触部４１および第２接触部４２は、このような表示パネル１の意図しない傾きが生じる場合において、表示パネル１の背面１Ａとスタンド２の結合部材２Ｃの取付面２０との間の間隙を調整するスペーサとしての機能を有するものである。第１接触部４１および第２接触部４２の高さを適切に調整することにより、表示パネル１の背面１Ａとスタンド２の結合部材２Ｃの取付面２０との間の間隙をｙ方向で調整し、第１接触部４１および第２接触部４２と表示パネル１の背面１Ａとの境界面の傾きを変化させて、表示パネル１の意図しない前傾または後傾を緩和ないし低減することが可能となる。
【００２１】
具体的には、第１接触部４１の高さＨ４１は、固定されている。換言すれば、高さＨ４１は、複数の表示パネル１に共通の値である。一方、第２接触部４２の高さＨ４２は、表示パネル１の俯仰方向Ａｔの傾きが所望の値になるよう調整されている。すなわち、高さＨ４２は、各表示パネル１の俯仰方向における傾きに応じて、その傾きを補正ないし矯正するよう変更ないし選択される値である。ここで、第１接触部４１または第２接触部４２の「高さ」とは、表示パネル１の背面１Ａとスタンド２との対向方向（ｚ方向）における第１接触部４１または第２接触部４２の寸法である。高さＨ４１，Ｈ４２は異なっていてもよいし、同じであってもよい。また、「所望の値」とは、スタンド２の設置面（水平面）に対して垂直（鉛直）、すなわち０°（鉛直方向）またはその近傍の角度であり、具体的には、例えば０°（鉛直方向）または鉛直方向から後方に１度である。
【００２２】
第１接触部４１および第２接触部４２の高さＨ４１，Ｈ４２は、例えば、背面カバー１４の製造のための金型（図示せず）において第１接触部４１および第２接触部４２を形成するための凹部の深さにより調整されていることが好ましい。このようにすることにより、第１接触部４１および第２接触部４２の高さＨ４１，Ｈ４２の調整を、スタンド２の構成如何にかかわらず、背面カバー１４のみで行うことが可能となる。よって、表示パネル１の構成が変化しても、スタンド２を共通化することが可能となり、部品点数の削減およびコスト削減が可能となる。
【００２３】
第１接触部４１および第２接触部４２の高さＨ４１，Ｈ４２は、表示パネル１の寸法および重量、背面カバー１４における取付領域３０の位置、第１接触部４１および第２接触部４２のｙ方向の距離などを考慮して適切に設定することが可能である。本実施の形態では、例えば、表示パネル１の対角寸法は４０インチ、重量は１３．１ｋｇであり、表示パネル１とスタンド２との合計重量は１７．０ｋｇである。第１接触部４１は、図４に示したように、背面カバー１４の縦中心線ＣＬ１上にある。第１接触部４１と背面カバー１４の横中心線ＣＬ２との間のｙ方向距離Ｄ１は例えば１８２．２０ｍｍである。第２接触部４２と背面カバー１４の横中心線ＣＬ２との間のｙ方向距離Ｄ２は例えば２２７．２０ｍｍである。二つの第２接触部４２の間のｘ方向距離Ｄ３は例えば２６０．００ｍｍである。この場合、第１接触部４１の高さＨ４１（固定）は例えば２．５ｍｍ、第２接触部４２の高さＨ４２（可変）は例えば０．５ｍｍであり、高さＨ４１，Ｈ４２の差は例えば２．０ｍｍである。
【００２４】
このような第１接触部４１および第２接触部４２の凸部は、背面カバー１４の外観の向上という観点から、例えば図４ないし図６に示したように、第１ねじ孔３１および第２ねじ孔３２の座面を兼ねることが可能である。なお、図４および図５では省略したが、第３ねじ孔３３および第４ねじ孔３４の周囲にも、必要に応じて、第３ねじ孔３３および第４ねじ孔３４の座面となる凸部を設けるようにしてもよい。その際、第３ねじ孔３３および第４ねじ孔３４の座面となる凸部の高さは、第１接触部４１および第２接触部４２の凸部による表示パネル１の傾き補正ないし矯正の機能を妨げない程度であることが望ましい。
【００２５】
以下、表示パネル１をスタンド２に取り付ける方法を説明する。
【００２６】
まず、図２に示したように、透明板１１の背面にパネル本体１２を設置し、パネル本体１２の側面を枠状の外装部材１３により被覆する。次いで、第４ねじ孔３４を用いて、パネル本体１２に背面カバー１４を固定し、パネル本体１２の背面を背面カバー１４で覆う。これにより、表示パネル１が形成される。
【００２７】
また、図３に示したように、支柱２Ａの下端を基礎２Ｂに固定する。続いて、図７に示したように、支柱２Ａの上端を、結合部材２Ｃの収容部２Ｄに収容し、ねじ２Ｅにより固定する。これにより、スタンド３が形成される。
【００２８】
そののち、図８に示したように、背面カバー１４の第３ねじ孔３３にプーリー５３を取り付け、このプーリー５３を用いて、表示パネル１をスタンド２の結合部材２Ｃの取付面２０の切欠２３に掛止させる。
【００２９】
表示パネル１をスタンド２の結合部材２Ｃの切欠２３に掛止させたのち、同じく図７に示したように、ねじ孔２１および第１ねじ孔３１を用いて、表示パネル１の背面１Ａとスタンド２の結合部材２Ｃとをねじ６１により固定する。また、同じく図８に示したように、ねじ孔２２および第２ねじ孔３２を用いて、表示パネル１の背面１Ａとスタンド２の結合部材２Ｃとをねじ６２により固定する。
【００３０】
ここで、図９に示したように、表示パネル１とスタンド２とがねじ６１，６２のみにより結合され、第１接触部４１および第２接触部４２が設けられていない場合には、矢印Ａ１に示したように、表示パネル１の上方が前傾した状態となる可能性がある。あるいは、図示しないが、表示パネル１の上方が後ろ側に傾く可能性もある。このような表示パネル１の前傾または後傾は、支柱３Ａに内蔵されたチルト機構（図示せず）を用いていなくても、表示パネル１自体の重みに起因して生じるものである。
【００３１】
このような場合、従来では、スタンド２に傾き矯正のためのリブ（図示せず）などを設けることにより対処していた。しかし、従来では、表示パネル１の上下方向（ｙ方向）の一か所のみにリブを設けていたので、傾き補正の効果が十分に得られなかった。また、表示パネル１の構成が変化した場合にスタンド２を共通化することが難しくなり、部品点数の増加やコストの増大の原因となっていた。
【００３２】
これに対して、本実施の形態では、図１０に示したように、表示パネル１の背面１Ａとスタンド２の取付面２０との間に、表示パネル１の上下方向（ｙ方向）において異なる位置に第１接触部４１および第２接触部４２が設けられている。第１接触部４１および第２接触部４２は、表示パネル１の背面１Ａ（背面カバー１４の外側の面）に設けられた凸部である。従って、第１接触部４１および第２接触部４２の高さＨ４１，Ｈ４２を適切に調整することにより、第１接触部４１および第２接触部４２と表示パネル１の背面１Ａとの境界面（接触面）Ｐの傾きが変化し、表示パネル１の俯仰方向の傾きが所望の値に補正ないし矯正される。なお、ここでは、第１接触部４１および第２接触部４２が表示パネル１の背面１Ａ（すなわち背面カバー１４の外側の面）に設けられた凸部であるので、境界面（接触面）Ｐは、第１接触部４１の凸部の下端および第２接触部４２の凸部の下端を結んだ平面である。
【００３３】
また、本実施の形態では、特許文献１に記載の従来構成のようにねじ等により表示パネルを押す必要がなくなる。よって、表示される画像にムラなどの画質低下が生じることがなくなる。また、ねじの締め過ぎにより表示パネルの構成部品に損傷を与えるおそれもなくなる。
【００３４】
なお、実際の傾き補正方法としては、例えば、出荷前に個々の表示パネル１をスタンド２に装着した状態で、鉛直方向からの前方または後方への傾き角度を実際に測定する。一方、第２接触部４２の凸部の高さＨ４２の異なる背面カバー１４を何種類か用意しておき、測定結果に基づいて別の背面カバー１４に交換し、表示パネル１の俯仰方向の傾きを所望の目標値に近づけることが可能である。その際、第１接触部４１および第２接触部４２の両方を背面カバー１４に設けるようにしたので、スタンド２を一切変更する必要がなく、背面カバー１４の交換のみで済む。よって、作業が容易となると共にコストが大幅に削減される。
【００３５】
このように本実施の形態では、表示パネル１の背面１Ａと、その取付対象であるスタンド２の取付面２０との間に、表示パネル１の上下方向（ｙ方向）において異なる位置に第１接触部４１および第２接触部４２を設けている。第１接触部４１および第２接触部４２としては、表示パネル１の背面１Ａすなわち背面カバー１４の外側の面に凸部を設けるようにしている。よって、画質を低下させることなく表示パネル１の俯仰方向の傾きを補正することが可能となる。
【００３６】
また、第１接触部４１および第２接触部４２の両方を背面カバー１４に設けるようにしたので、スタンド２の構成を変更する必要がなく、背面カバー１４のみで第１接触部４１のおよび第２接触部４２の高さＨ４１，Ｈ４２の調整が可能となる。よって、スタンド２の共通化による部品点数の削減およびコスト低減が可能となる。
【００３７】
なお、上記実施の形態では、第１接触部４１および第２接触部４２がいずれも表示パネル１の背面１Ａ（すなわち背面カバー１４の外側の面）に設けられた凸部である場合について説明した。しかしながら、第１接触部４１は、例えば図１１に示したように、表示パネル１の背面１Ａ（背面カバー１４の外側の面）と同一平面をなしており（Ｈ４１＝０ｍｍ）、第２接触部４２のみが凸部であってもよい。つまり、第１接触部４１は、高さＨ４１が固定された面（高さＨ４１が複数の表示パネル１に共通に設定された面）であれば凸部に限定されず、表示パネル１の背面１Ａ（背面カバー１４の外側の面）それ自体であってもよい。ただし、表示パネル１の厚みが極めて薄い場合には、ねじ６１，６２の高さを考慮して、第１接触部４１を凸部とすることが望ましい。
【００３８】
（変形例１）
また、上記実施の形態では、取付領域３０内の上方に一つの第１接触部４１、下方に二つの第２接触部４２を設けた場合について説明したが、図１２に示したように、取付領域３０内の下方に第１接触部４１、上方に第２接触部４２を設けることも可能である。
【００３９】
（変形例２）
更に、上記実施の形態では、第２接触部４２を二つ設けた場合について説明したが、図１３に示したように、第２接触部４２を一つ設けることも可能である。第２接触部４２は第１接触部４１の左側に設けてもよいし、右側に設けてもよい。
【００４０】
（変形例３）
加えて、変形例１と変形例２とを組み合わせて、図１４に示したように、取付領域３０内の下方に一つの第１接触部４１、上方に一つの第２接触部４２を設けることも可能である。第２接触部４２は第１接触部４１の左側に設けてもよいし、右側に設けてもよい。
【００４１】
（変形例４−１）
更にまた、上記実施の形態では、図１５に示したように、第１接触部４１および第２接触部４２を背面カバー１４に、つまり表示パネル１の側に設ける場合について説明したが、第１接触部４１および第２接触部４２は、図１６に示したように、スタンド２の側に設けることも可能である。この場合、第１接触部４１および第２接触部４２は、例えば、スタンド２の結合部材２Ｃの取付面２０に設けることが可能である。第１接触部４１および第２接触部４２は、いずれも取付面２０に設けられた凸部であってもよい。あるいは、第１接触部４１はスタンド２の結合部材２Ｃの取付面２０自体であり、第２接触部４２は取付面２０に設けられた凸部であってもよい。
【００４２】
（変形例４−２）
加えてまた、図１７に示したように、第１接触部４１を表示パネル１の側に設け、第２接触部４２をスタンド２の側に設けることも可能である。第１接触部４１は、表示パネル１の背面１Ａ（すなわち背面カバー１４の外側の面）自体であってもよいし、表示パネル１の背面１Ａに設けられた凸部であってもよい。第２接触部４２は、スタンド２の結合部材２Ｃの取付面２０自体であってもよいし、取付面２０に設けられた凸部であってもよい。
【００４３】
（変形例４−３）
更にまた、図１８に示したように、第１接触部４１をスタンド２の側に設け、第２接触部４２を表示パネル１の側に設けることも可能である。第１接触部４１は、スタンド２の結合部材２Ｃの取付面２０自体であってもよいし、取付面２０に設けられた凸部であってもよい。第２接触部４２は、表示パネル１の背面１Ａ（すなわち背面カバー１４の外側の面）自体であってもよいし、表示パネル１の背面１Ａに設けられた凸部であってもよい。
【００４４】
（変形例５−１）
加えてまた、上記実施の形態では、表示パネル１の取付対象がスタンド２である場合について説明したが、図１９に示したように、表示パネル１の取付対象を壁Ｗとし、第１接触部４１および第２接触部４２を表示パネル１の側に設けることも可能である。第１接触部４１および第２接触部４２は、いずれも表示パネル１の背面１Ａ（すなわち背面カバー１４の外側の面）に設けられた凸部であってもよい。あるいは、第１接触部４１は表示パネル１の背面１Ａ（すなわち背面カバー１４の外側の面）自体であり、第２接触部４２は表示パネル１の背面１Ａに設けられた凸部であってもよい。なお、取付対象が壁Ｗである場合には、壁Ｗ自体が取付面となる。
【００４５】
（変形例５−２）
更にまた、図２０に示したように、表示パネル１の取付対象を壁Ｗとし、第１接触部４１および第２接触部４２は、壁Ｗに設けることも可能である。第１接触部４１および第２接触部４２は、いずれも壁Ｗに設けられた凸部であってもよい。あるいは、第１接触部４１は壁Ｗ自体であり、第２接触部４２は壁Ｗに設けられた凸部であってもよい。
【００４６】
（変形例５−３）
加えてまた、図２１に示したように、第１接触部４１を表示パネル１の側に設け、第２接触部４２を壁Ｗに設けることも可能である。第１接触部４１は、表示パネル１の背面１Ａ（すなわち背面カバー１４の外側の面）自体であってもよいし、表示パネル１の背面１Ａに設けられた凸部であってもよい。第２接触部４２は、壁Ｗ自体であってもよいし、壁Ｗに設けられた凸部であってもよい。
【００４７】
（変形例５−４）
更にまた、図２２に示したように、第１接触部４１を壁Ｗに設け、第２接触部４２を表示パネル１の側に設けることも可能である。第１接触部４１は、壁Ｗ自体であってもよいし、壁Ｗに設けられた凸部であってもよい。第２接触部４２は、表示パネル１の背面１Ａ（すなわち背面カバー１４の外側の面）自体であってもよいし、表示パネル１の背面１Ａに設けられた凸部であってもよい。
【００４８】
以上、実施の形態を挙げて本技術を説明したが、本技術は上記実施の形態に限定されるものではなく、種々の変形が可能である。例えば、上記実施の形態では、第１接触部４１の平面形状が円形であり、第２接触部４２の平面形状が環状である場合について説明したが、第１接触部４１および第２接触部４２の平面形状は特に限定されず、円形あるいは環状のほか、矩形その他の多角形または楕円形などでもよい。
【００４９】
また、上記実施の形態では、背面カバー１４の下方に取付領域３０を設けた場合について説明したが、背面カバー１４上における取付領域３０の位置（特にｙ方向の位置）は特に限定されない。なお、取付領域３０を背面カバー１４の上方に設けるか、下方に設けるかによって、表示パネル１の俯仰方向の傾き量が変わってくる可能性があるので、それに応じて、第１接触部４１および第２接触部４２の高さＨ４１，Ｈ４２を適切に調整することが望ましい。
【００５０】
更に、上記実施の形態では、第１接触部４１および第２接触部４２を、第１ねじ孔３１および第２ねじ孔３２の周囲に、座面の凸部として設ける場合について説明したが、第１接触部４１および第２接触部４２は、第１ねじ孔３１および第２ねじ孔３２とは別の場所に設けるようにしてもよい。
【００５１】
加えて、上記実施の形態では、第１接触部４１を一つ設け、第２接触部４２を、第１接触部４１の左側および右側に一つずつ設けることにより、第１接触部４１および第２接触部４２を三角形に配置した場合について説明した。しかしながら、第１接触部４１および第２接触部４２の個数や配置は上述した個数や三角形の配置に限定されるものではない。
【００５２】
更にまた、上記実施の形態では、スタンド２の結合部材２Ｃの取付面２０が平坦面である場合について説明したが、取付面２０のねじ孔２１，２２の周囲には、必要に応じて、有効なねじ６１，６２の長さを確保するための凹部が設けられていてもよい。
【００５３】
加えてまた、上記実施の形態では、表示パネル１が液晶表示パネルである場合を例として説明したが、表示パネル１は、液晶のほか、プラズマ，有機ＥＬ（Electroluminescence），無機ＥＬ，エレクトロデポジションもしくエレクトロクロミックなどの表示パネルでもよい。
【００５４】
更にまた、上記実施の形態では、表示装置として薄型テレビジョン装置を例として説明したが、本開示は、テレビジョン装置に限らず、パーソナルコンピュータ等のモニター，カーナビゲーション装置などの表示装置、デジタルフォトフレームなど、他の電子機器にも適用可能である。また、絵画、看板など、平板状の支持対象物と、スタンドとを有する構造物にも広く適用可能である。
【００５５】
加えてまた、上記実施の形態では、表示パネル１の前方への傾き（前傾）を補正する場合について説明したが、本技術は、表示パネル１の後方への傾き（仰角方向の傾き）の補正にも適用可能である。
【００５６】
なお、本技術は以下のような構成を取ることも可能である。
（１）
表示パネルと、
前記表示パネルの取付対象と、
前記表示パネルの背面と前記取付対象の取付面との間に、前記表示パネルの上下方向において異なる位置に設けられた第１接触部および第２接触部と
を備え、
前記第１接触部および前記第２接触部は、前記表示パネルの背面自体あるいは前記表示パネルの背面に設けられた凸部、または前記取付対象の取付面自体あるいは前記取付対象の取付面に設けられた凸部である
表示装置。
（２）
前記表示パネルの背面と前記取付対象との対向方向における前記第１接触部の高さは、固定されており、
前記表示パネルの背面と前記取付対象との対向方向における前記第２接触部の高さは、前記表示パネルの俯仰方向の傾きが所望の値になるよう調整されている
前記（１）記載の表示装置。
（３）
前記表示パネルは、パネル本体と、前記パネル本体の背面を覆う背面カバーとを有し、
前記第１接触部および前記第２接触部の少なくとも一方は、前記背面カバーに設けられている
前記（１）または（２）記載の表示装置。
（４）
前記第１接触部および前記第２接触部の両方が、前記背面カバーに設けられており、
前記第１接触部および前記第２接触部は、前記背面カバーの外側の面自体または前記背面カバーに設けられた凸部である
前記（３）記載の表示装置。
（５）
前記凸部は、前記表示パネルの背面を前記取付対象に固定するためのねじ孔の座面である
前記（４）記載の表示装置。
（６）
前記第１接触部および前記第２接触部の高さは、前記背面カバーの製造のための金型において前記第１接触部および前記第２接触部を形成するための凹部の深さにより調整されている
前記（４）または（５）記載の表示装置。
（７）
前記取付対象は、前記表示パネルを支持するスタンドであり、
前記第１接触部および前記第２接触部の少なくとも一方は、前記スタンドに設けられている
前記（１）ないし（３）のいずれか１項に記載の表示装置。
（８）
前記表示パネルは、パネル本体と、前記パネル本体の背面を覆う背面カバーとを有し、
前記第１接触部および前記第２接触部の一方は、前記背面カバーに設けられ、
前記第１接触部および前記第２接触部の他方は、前記スタンドに設けられている
前記（７）記載の表示装置。
（９）
前記取付対象は壁であり、
前記第１接触部および前記第２接触部の少なくとも一方は、前記壁に設けられている
前記（１）ないし（３）のいずれか１項に記載の表示装置。
（１０）
前記表示パネルは、パネル本体と、前記パネル本体の背面を覆う背面カバーとを有し、
前記第１接触部および前記第２接触部の一方は、前記背面カバーに設けられ、
前記第１接触部および前記第２接触部の他方は、前記壁に設けられている
前記（９）記載の表示装置。
（１１）
前記第１接触部および前記第２接触部の一方は一つ設けられ、他方は、前記一方の左側および右側に一つずつ設けられることにより、前記第１接触部および前記第２接触部が三角形に配置されている
前記（１）ないし（１０）のいずれか１項に記載の表示装置。
【符号の説明】
【００５７】
１…表示パネル、２…スタンド、２Ａ…支柱、２Ｂ…基礎、２Ｃ…結合部材、１１…透明板、１２…パネル本体、１３…外装部材、１４…背面カバー、２０…取付面、２１，２２…ねじ孔、３０…取付領域、３１…第１ねじ孔、３２…第２ねじ孔、３３…第３ねじ孔、３４…第２ねじ孔、４１…第１接触部、４２…第２接触部、５３…プーリー、６１，６２…ねじ、Ｈ４１，Ｈ４２…高さ
【図１】
2012168256.tif 000003
【図２】
2012168256.tif 000004
【図３】
2012168256.tif 000005
【図４】
2012168256.tif 000006
【図５】
2012168256.tif 000007
【図６】
2012168256.tif 000008
【図７】
2012168256.tif 000009
【図８】
2012168256.tif 000010
【図９】
2012168256.tif 000011
【図１０】
2012168256.tif 000012
【図１１】
2012168256.tif 000013
【図１２】
2012168256.tif 000014
【図１３】
2012168256.tif 000015
【図１４】
2012168256.tif 000016
【図１５】
2012168256.tif 000017
【図１６】
2012168256.tif 000018
【図１７】
2012168256.tif 000019
【図１８】
2012168256.tif 000020
【図１９】
2012168256.tif 000021
【図２０】
2012168256.tif 000022
【図２１】
2012168256.tif 000023
【図２２】
2012168256.tif 000024